【手続補正書】
【提出日】平成23年3月2日(2011.3.2)
【手続補正１】
【補正対象書類名】特許請求の範囲
【補正対象項目名】全文
【補正方法】変更
【補正の内容】
【特許請求の範囲】
【請求項１】
フレーク形状基材、または１種以上の金属酸化物で被覆されたフレーク形状基材に基づいたエフェクト顔料であって、最終層として、
（Ａ）酸化鉄および／または鉄オキソ水和物の層と、
（Ｂ）ＳｉＯ2および／もしくはＡｌ2Ｏ3またはそれらの水和物の層と
を含む層パッケージ、あるいは
（Ａ）一般式  Ｍ1vＭ2wＯx（ＯＨ）yＸz
（式中、Ｍ1＝Ｆｅ、およびＭ2＝ＭｇII、ＣａII、ＳｒII、ＢａII、ＴｉIII/IV、ＺｒIV、ＣｒIII、ＦｅII/III、ＣｏII/III、ＮｉII、ＣｕII、ＡｇI、ＺｎII、ＡｌIII、ＧａIII、ＳｎII/IV、ＳｂIII/IV、ＢｉIIIであり、Ｘ＝Ｃｌ-、ＮＯ3-、ＳＯ42-、ＣＯ32-であり、ｖ＝１〜３、ｗ＝０〜３、ｘ＝０〜６、ｙ＝０〜１２およびｚ＝０〜１であり、この場合ｖ＋ｗ＞０およびｘ＋ｙ＞０であり、ｖ、ｗ、ｘ、およびｙは、部分酸化物の場合、非整数の係数でもよい）の混合酸化物、水酸化物、オキソ水和物または複水酸化物を含む層と、
（Ｂ）ＳｉＯ2および／もしくはＡｌ2Ｏ3またはそれらの水和物の層と
を含む層パッケージを含むことを特徴とするエフェクト顔料。
【請求項２】
前記被覆されたもしくは非被覆の基材が、ガラスフレーク、合成もしくは天然雲母フレーク、ＳｉＯxフレーク（ｘ≦２．０）、Ａｌ2Ｏ3フレーク、ＴｉＯ2フレーク、合成もしくは天然酸化鉄フレーク、場合によって不動態化された金属フレーク；アルミニウム青銅、黄銅青銅、亜鉛青銅、チタン青銅のフレーク、黒鉛フレーク、液晶ポリマー（ＬＣＰ）、ホログラフィック顔料、ＢｉＯＣｌフレーク、または前記フレークの混合物の群から選択されることを特徴とする、請求項１に記載のエフェクト顔料。
【請求項３】
前記基材が、１、２、３、または４層の金属酸化物と、前記層パッケージ（Ａ）（Ｂ）とで覆われることを特徴とする、請求項１または２に記載のエフェクト顔料。
【請求項４】
前記基材が、ルチルまたはアナターゼ変態のＴｉＯ2、酸化ジルコニウム、酸化スズ、酸化亜鉛、二酸化ケイ素の群からの金属酸化物で覆われることを特徴とする、請求項１から３のいずれか一項に記載のエフェクト顔料。
【請求項５】
層（Ａ）が、Ｆｅ2Ｏ3、Ｆｅ3Ｏ4、ＦｅＯＯＨ、ＦｅＴｉＯ3、Ｆｅ2ＴｉＯ5、Ｆｅ（ＯＨ）3／Ａｌ（ＯＨ）3混合物、Ｆｅ（ＯＨ）3／Ｃａ（ＯＨ）2混合物、Ｆｅ（ＯＨ）3／Ｍｇ（ＯＨ）2混合物、またはＦｅ（ＯＨ）3／Ｚｎ（ＯＨ）2混合物からなることを特徴とする、請求項１から４のいずれか一項に記載のエフェクト顔料。
【請求項６】
層（Ａ）が、２〜３５０ｎｍの厚さを有することを特徴とする、請求項１から５のいずれか一項に記載のエフェクト顔料。
【請求項７】
層（Ｂ）が、ＳｉＯ2からなることを特徴とする、請求項１から６のいずれか一項に記載のエフェクト顔料。
【請求項８】
層（Ｂ）が、ＳｉＯ2およびＡｌ2Ｏ3の混合物であることを特徴とする、請求項１から７のいずれか一項に記載のエフェクト顔料。
【請求項９】
層（Ｂ）が、Ｖ、Ｚｒ、Ｚｎ、Ｃｅ、Ｔｉ、Ｂ、Ｎａ、Ｋ、Ｍｇ、Ｃａ、および／またはＭｎの群からの酸化物または水酸化物でドープされることを特徴とする、請求項１から８のいずれか一項に記載のエフェクト顔料。
【請求項１０】
層（Ｂ）が、２〜２００ｎｍの厚さを有することを特徴とする、請求項１から９のいずれか一項に記載のエフェクト顔料。
【請求項１１】
下記の層の順序：
基質＋（ＳｉＯ2）＋Ｆｅ2Ｏ3＋ＳｉＯ2
基質＋（ＳｉＯ2）＋ＴｉＯ2＋Ｆｅ2Ｏ3＋ＳｉＯ2
基質＋（ＳｉＯ2）＋ＴｉＯ2＋ＳｉＯ2＋ＴｉＯ2＋Ｆｅ2Ｏ3＋ＳｉＯ2
基質＋（ＳｉＯ2）＋ＦｅＯＯＨ＋ＳｉＯ2
基質＋（ＳｉＯ2）＋ＴｉＯ2＋ＦｅＯＯＨ＋ＳｉＯ2
基質＋（ＳｉＯ2）＋Ｆｅ2ＴｉＯ5＋ＳｉＯ2
基質＋（ＳｉＯ2）＋ＴｉＯ2＋Ｆｅ2ＴｉＯ5＋ＳｉＯ2
基質＋（ＳｉＯ2）＋ＦｅＴｉＯ3＋ＳｉＯ2
基質＋（ＳｉＯ2）＋ＴｉＯ2＋ＦｅＴｉＯ3＋ＳｉＯ2
基質＋（ＳｉＯ2）＋Ｆｅ（ＯＨ）3／Ｍｇ（ＯＨ）2＋ＳｉＯ2
基質＋（ＳｉＯ2）＋ＴｉＯ2＋Ｆｅ（ＯＨ）3／Ｍｇ（ＯＨ）2＋ＳｉＯ2
基質＋（ＳｉＯ2）＋Ｆｅ（ＯＨ）3／Ｃａ（ＯＨ）2−＋ＳｉＯ2
基質＋（ＳｉＯ2）＋ＴｉＯ2＋Ｆｅ（ＯＨ）3／Ｃａ（ＯＨ）2＋ＳｉＯ2
基質＋（ＳｉＯ2）＋Ｆｅ3Ｏ4＋ＳｉＯ2
基質＋（ＳｉＯ2）＋ＴｉＯ2＋Ｆｅ3Ｏ4＋ＳｉＯ2
基質＋（ＳｉＯ2）＋Ｆｅ（ＯＨ）3／Ａｌ（ＯＨ）3＋ＳｉＯ2
基質＋（ＳｉＯ2）＋ＴｉＯ2＋Ｆｅ（ＯＨ）3／ＡＩ（ＯＨ）3＋ＳｉＯ2
基質＋（ＳｉＯ2）＋ＴｉＯ2＋ＦｅＣａ2（ＯＨ）6Ｃｌ＋ＳｉＯ2
基質＋（ＳｉＯ2）＋ＴｉＯ2＋ＦｅＣａ2（ＯＨ）6ＮＯ3＋ＳｉＯ2
基質＋（ＳｉＯ2）＋ＴｉＯ2＋ＦｅＭｇ2（ＯＨ）6ＣＯ3＋ＳｉＯ2
基質＋（ＳｉＯ2）＋ＴｉＯ2＋ＦｅＺｎ2（ＯＨ）6ＣＯ3＋ＳｉＯ2
基質＋（ＳｉＯ2）＋ＴｉＯ2＋ＣｒＯ3＋Ｆｅ3Ｏ4＋ＳｉＯ2
基質＋（ＳｉＯ2）＋Ｆｅ（ＯＨ）3／Ｚｎ（ＯＨ）2＋ＳｉＯ2
基質＋（ＳｉＯ2）＋Ｆｅ（ＯＨ）3／Ｚｎ（ＯＨ）2＋ＳｉＯ2／Ａｌ2Ｏ3
基質＋（ＳｉＯ2）＋Ｆｅ2Ｏ3＋ＳｉＯ2＋Ｆｅ2Ｏ3＋ＳｉＯ2／Ａｌ2Ｏ3
基質＋（ＳｉＯ2）＋Ｆｅ2Ｏ3＋ＳｉＯ2＋Ｆｅ2Ｏ3＋ＳｉＯ2
基質＋（ＳｉＯ2）＋Ｆｅ3Ｏ4＋ＳｉＯ2＋Ｆｅ3Ｏ4＋ＳｉＯ2／Ａｌ2Ｏ3
基質＋（ＳｉＯ2）＋Ｆｅ3Ｏ4＋ＳｉＯ2＋Ｆｅ3Ｏ4＋ＳｉＯ2
基質＋（ＳｉＯ2）＋Ｆｅ2Ｏ3＋ＳｉＯ2／Ａｌ2Ｏ3
基質＋（ＳｉＯ2）＋ＴｉＯ2＋Ｆｅ2Ｏ3＋ＳｉＯ2／Ａｌ2Ｏ3
基質＋（ＳｉＯ2）＋ＴｉＯ2＋ＳｉＯ2＋ＴｉＯ2＋Ｆｅ2Ｏ3＋ＳｉＯ2／Ａｌ2Ｏ3
基質＋（ＳｉＯ2）＋ＦｅＯＯＨ＋ＳｉＯ2／Ａｌ2Ｏ3
基質＋（ＳｉＯ2）＋ＴｉＯ2＋ＦｅＯＯＨ＋ＳｉＯ2／Ａｌ2Ｏ3
基質＋（ＳｉＯ2）＋Ｆｅ2ＴｉＯ5＋ＳｉＯ2／Ａｌ2Ｏ3
基質＋（ＳｉＯ2）＋ＴｉＯ2＋Ｆｅ2ＴｉＯ5＋ＳｉＯ2／Ａｌ2Ｏ3
基質＋（ＳｉＯ2）＋ＦｅＴｉＯ3＋ＳｉＯ2／Ａｌ2Ｏ3
基質＋（ＳｉＯ2）＋ＴｉＯ2＋ＦｅＴｉＯ3＋ＳｉＯ2／Ａｌ2Ｏ3
基質＋（ＳｉＯ2）＋Ｆｅ（ＯＨ）3／Ｍｇ（ＯＨ）2＋ＳｉＯ2／Ａｌ2Ｏ3
基質＋（ＳｉＯ2）＋ＴｉＯ2＋Ｆｅ（ＯＨ）3／Ｍｇ（ＯＨ）2＋ＳｉＯ2／Ａｌ2Ｏ3
基質＋（ＳｉＯ2）＋Ｆｅ（ＯＨ）3／Ｃａ（ＯＨ）2−＋ＳｉＯ2／Ａｌ2Ｏ3
基質＋（ＳｉＯ2）＋ＴｉＯ2＋Ｆｅ（ＯＨ）3／Ｃａ（ＯＨ）2＋ＳｉＯ2／Ａｌ2Ｏ3
基質＋（ＳｉＯ2）＋Ｆｅ3Ｏ4＋ＳｉＯ2／Ａｌ2Ｏ3
基質＋（ＳｉＯ2）＋ＴｉＯ2＋Ｆｅ3Ｏ4＋ＳｉＯ2／Ａｌ2Ｏ3
基質＋（ＳｉＯ2）＋Ｆｅ（ＯＨ）3／Ａｌ（ＯＨ）3＋ＳｉＯ2／Ａｌ2Ｏ3、または
基質＋（ＳｉＯ2）＋ＴｉＯ2＋Ｆｅ（ＯＨ）3／Ａｌ（ＯＨ）3＋ＳｉＯ2／Ａｌ2Ｏ3
を有することを特徴とする、請求項１から１０のいずれか一項に記載のエフェクト顔料。
【請求項１２】
前記フレーク形状基材のコーティングが、湿式化学法、ＣＶＤ法、またはＰＶＤ法により行われることを特徴とする、請求項１から１１のいずれか一項に記載のエフェクト顔料の調製方法。
【請求項１３】
請求項１から１１のいずれか一項に記載のエフェクト顔料の使用であって、ペイント、コーティング、自動車ペイント、粉末コーティング、印刷インキ、セキュリティ印刷インキ、プラスチック、セラミック材料、ガラス、紙における；紙コーティングにおける；電子写真印刷工程向けトナーにおける；種子における；温室シーティングおよびターポリンにおける；紙およびプラスチックのレーザーマーキングにおける吸収体としての；プラスチックのレーザー溶接における吸収体としての；化粧用調合剤としての；水、有機および／もしくは水性溶媒による顔料ペーストの調製向けの；顔料組成物および乾式製剤の調製向けの使用。
【請求項１４】
デイクリーム、ファンデーション、セルフタンニングクリーム、セルフタンニングスプレー、セルフタンニングローションにおける、請求項１３に記載のエフェクト顔料の使用。
【請求項１５】
１，３−ジヒドロキシアセトンおよび／またはエリトルロースと組み合わせた、請求項１３または１４に記載のエフェクト顔料の使用。
【請求項１６】
化粧用調合剤におけるスキンコレクターとしての、請求項１３から１５のいずれか一項に記載のエフェクト顔料の使用。